(57)【要約】【課題】医療の妨げを抑制しつつ使用できる低出生体重児用の吸収性物品を提供する。【解決手段】吸収性物品は、前胴回り域Ｓ１と、後胴回り域Ｓ２と、股下域Ｓ３とを有する。吸収性物品１の前後方向の長さは、１７０ｍｍ以上２３０ｍｍ以下である。吸収性物品の股下域の幅方向の長さは、３０ｍｍ以上５０ｍｍ以下である。吸収性物品の曲げ剛性は、０．０５Ｎ以上０．２Ｎ以下である。【選択図】図１
2015066338.tif 000002
【特許請求の範囲】
【請求項１】
前胴回り域と、後胴回り域と、前記前胴回り域と前記後胴回り域との間に位置する股下域と、
前記前胴回り域から前記後胴回り域に向かう前後方向と、
前記前後方向と直交する幅方向と、
液透過性の表面シートと、液不透過性の裏面シートと、前記表面シートと前記裏面シートの間に配置され、かつ吸収性材料が積層された吸収性コアと、を備える吸収性物品であって、
前記吸収性物品の前記前後方向の長さは、１７０ｍｍ以上２３０ｍｍ以下であり、
前記股下域の前記幅方向の長さは、３０ｍｍ以上５０ｍｍ以下あり、
前記吸収性物品の曲げ剛性は、０．０５Ｎ以上０．２Ｎ以下である、吸収性物品。
【請求項２】
前記裏面シートには、前記吸収性物品を衣服に接合するため接合部材が設けられていない、請求項１に記載の吸収性物品。
【請求項３】
前記前胴回り域と前記後胴回り域とを止着するための止着部材が設けられていない、請求項１又は２に記載の吸収性物品。
【請求項４】
前記吸収性コアには、周囲よりも前記吸収性材料の目付が低い低目付部が設けられており、
前記低目付部は、前記前後方向に沿って配置される、請求項１から３のいずれかに記載の吸収性物品。
【請求項５】
前記股下域の前記吸収性コアの幅方向の最大長さは、前記前胴回り域の前記吸収性コアの幅方向の最大長さよりも短く、かつ前記後胴回り域の前記吸収性コアの幅方向の最大長さよりも短い、請求項１から４のいずれかに記載の吸収性物品。
【請求項６】
前記後胴回り域の前記吸収性物品の曲げ剛性は、前記股下域の前記吸収性物品の曲げ剛性よりも高い、請求項１から５のいずれかに記載の吸収性物品。
【請求項７】
前記吸収性コアの後側端部は、前記吸収性物品の後側端部よりも前側に位置し、
前記吸収性コアの後側端部と前記吸収性物品の後側端部の距離は、１５ｍｍ以下である、請求項１から６のいずれかに記載の吸収性物品。
【請求項８】
体重１０００ｇ未満の低出生体重児用の使い捨ておむつである、請求項１から７のいずれかに記載の吸収性物品。
【請求項９】
前記後胴回り域の後側端部及び当該後側端部から幅方向に延びる部分は、前記吸収性物品の平面視において曲線状である、請求項１から請求項８のいずれかに記載の吸収性物品。
【発明の詳細な説明】
【技術分野】
【０００１】
本発明は、低出生体重児用の吸収性物品に関する。
【背景技術】
【０００２】
低出生体重児は、新生児集中治療室において保育器内にて保育される。この低出生体重児には、一般的に、従来のテープ型の使い捨ておむつを装着している（例えば、特許文献１及び２参照）。テープ型の使い捨ておむつを着用者に装着する際は、使い捨ておむつの股下域を着用者の股下に当てた状態で、使い捨ておむつの後胴回り域に配置された止着部材を着用者の前側に配置し、当該止着部材を前胴回り域に止着する。このように装着された使い捨ておむつは、着用者の股下に当てられ、かつ着用者の腰回りを覆う。
【先行技術文献】
【特許文献】
【０００３】
【特許文献１】特開２０００−１４０００４号公報
【特許文献２】特開平１０−１６５４３９号公報
【発明の概要】
【発明が解決しようとする課題】
【０００４】
しかし、上述の吸収性物品には、以下の問題点があった。
【０００５】
低出生体重児は、保育器内で、チューブ等の医療器具を取り付けられた状態で保育される。また、保育器内で低出生体重児に光線治療等の治療が施されたることがある。従来の使い捨ておむつは、着用者の腰回りを覆っているため、医療器具の取り付けの妨げになることがある。また、使い捨ておむつによって覆われた部分は、光線治療を行うことができず、治療の妨げになることがある。
【０００６】
そこで、本発明は、医療の妨げを抑制しつつ使用できる低出生体重児用の吸収性物品を提供することを目的とする。
【課題を解決するための手段】
【０００７】
本開示に係る吸収性物品（吸収性物品１）は、前胴回り域（前胴回り域Ｓ１）と、後胴回り域（後胴回り域Ｓ２）と、前記前胴回り域と前記後胴回り域との間に位置する股下域（股下域Ｓ３）と、前記前胴回り域から前記後胴回り域に向かう前後方向（前後方向Ｌ）と、前記前後方向と直交する幅方向（幅方向Ｗ）と、液透過性の表面シート（表面シート１０）と、液不透過性の裏面シート（裏面シート２０）と、前記表面シートと前記裏面シートの間に配置され、かつ吸収性材料が積層された吸収性コアと、を備える吸収性物品であって、前記吸収性物品の前後方向の長さは、１７０ｍｍ以上２３０ｍｍ以下であり、前記股下域の幅方向の長さは、３０ｍｍ以上５０ｍｍ以下であり、前記吸収性物品の曲げ剛性は、０．０５Ｎ以上０．２Ｎ以下であることを要旨とする。
【発明の効果】
【０００８】
本開示によれば、医療の妨げを抑制しつつ使用できる低出生体重児用の吸収性物品を提供することができる。
【図面の簡単な説明】
【０００９】
【図１】本実施形態に係る吸収性物品の展開平面図である。
【図２】図１に示したＡ-Ａ線に沿った吸収性物品の断面図である。
【図３】図１に示した吸収性物品の自然状態の側面図である。
【図４】図１に吸収性物品の装着状態を示す断面図である。
【図５】変形例１に係る吸収性物品の展開平面図である。
【図６】変形例２に係る吸収性物品の展開平面図である。
【図７】図６に示したＢ-Ｂ線に沿った吸収性物品の断面図である。
【図８】図６に示した吸収性物品の自然状態の斜視図である。
【発明を実施するための形態】
【００１０】
次に、本発明に係る使い捨ておむつの実施形態について、図面を参照しながら説明する。なお、以下の図面の記載において、同一または類似の部分には、同一または類似の符号を付している。ただし、図面は模式的なものであり、各寸法の比率などは現実のものとは異なることに留意すべきである。
【００１１】
したがって、具体的な寸法などは以下の説明を参酌して判断すべきである。また、図面相互間においても互いの寸法の関係や比率が異なる部分が含まれ得る。
【００１２】
（１）吸収性物品の全体概略構成
本実施の形態に係る吸収性物品は、低出生体重児用の使い捨ておむつである。ここで、低出生体重児とは、２５００ｇ未満の新生児である。本実施の形態に係る吸収性物品は、低出生体重児のうち、特に体重の少ない新生児に好適に適用できる。特に体重の少ない新生児とは、体重１５００ｇ未満の極低出生体重児及び体重１０００ｇ未満の超低出生体重児である。最も好適には、超低出生体重児に適用できる。
【００１３】
図１は、本実施形態に係る吸収性物品1の展開平面図である。図２は、図１に示したＡ-Ａ線に沿った使い捨ておむつ１の断面図である。図１に示す展開平面図は、使い捨ておむつを構成する表面シート１０等の皺が形成されない状態まで、サイド伸縮部のサイド弾性部材を伸長させた状態の図である。
【００１４】
使い捨ておむつ１は、前胴回り域Ｓ１と、股下域Ｓ３と、後胴回り域Ｓ２とを有する。前胴回り域Ｓ１は、着用者の前胴回り部（腹部分）と接する部分である。また、後胴回り域Ｓ２は、着用者の後胴回り部（背部分）と接する部分である。股下域Ｓ３は、前胴回り域Ｓ１と後胴回り域Ｓ２との間に位置し、着用者の股下に当てられる部分である。
【００１５】
前胴回り域Ｓ１は、吸収性物品１の前側端部１Ｆから後方に向かって延びる一定範囲の領域であり、後胴回り域Ｓ２は、吸収性物品１の後側端部１Ｒから前方に向かって延びる一定範囲の領域である。股下域Ｓ３は、前胴回り域Ｓ１と後胴回り域Ｓ２の間の領域であり、着用者の股下に当てられ、着用者の脚によって挟まれる領域である。本実施の形態の吸収性物品の股下域Ｓ３は、後述する吸収性コアの第２スリットが形成された領域を含んでいる。また、吸収性物品の幅方向の長さが前後方向で変化する吸収性物品にあっては、股下域Ｓ３は、吸収性物品の幅方向の長さが短くなるように括れた部分である。より詳細には、股下域Ｓ３は、吸収体の幅方向の長さ寸法が最も短い位置から前方に３０〜４０ｍｍ、当該位置から後方に３０〜４０ｍｍの範囲とすることができる。
【００１６】
なお、本実施形態では、前胴回り域Ｓ１から後胴回り域Ｓ２に向かう方向を前後方向Ｌと呼び、前後方向と直交する方向を幅方向Ｗと呼ぶ。
【００１７】
吸収性物品１は、表面シート１０と、裏面シート２０と、表面シートと裏面シートの間に配置された吸収体３０と、サイドギャザー４０と、を有する。
【００１８】
表面シート１０は、液透過性であり、吸収体３０の表面側（肌当接面側）に設けられる。表面シートは、例えば、不織布によって構成される。本実施の形態の表面シート１０は、エアスルー不織布、ホ゜イントホ゛ント゛不織布、スパンボンド不織布等を用いることができる。表面シートは、柔軟性が高い不織布を用いることが好ましく、具体的には、肌面側表面に繊維太さが０．５〜１．９Dtexの繊維を配したエアスルー不織布が好ましい。
【００１９】
裏面シート２０は、液不透過性であり、吸収体３０の裏面側（非肌当接面側）に設けられる。裏面シート２０は、例えば、液を透過しないフィルムによって構成される。本実施の形態の裏面シート２０は、目付１８ｇ/ｍ２のフィルムと、スパンボンド不織布とが積層されている。なお、裏面シートは、１枚のシートによって構成されていてもよい。
【００２０】
また、裏面シートには、吸収性物品を衣服に止着するための接合部材が設けられていない。本実施の形態の吸収性物品は、衣服等に止めて使用するものではなく、接合部材が設けられていない。なお、接合部材とは、例えば、衣服に吸収性物品を接合するための粘着材や係合部材である。
【００２１】
また、吸収性物品の前胴回り域Ｓ１及び後胴回り域Ｓ２には、前胴回り域Ｓ１と後胴回り域Ｓ２とを止着するための止着部材が設けられていない。本実施の形態の吸収性物品は、着用者の身体に吸収性物品を保持した状態で使用するものではなく、着用者の身体に沿うように配置し、適宜離すことが出来る状態で使用するものであるため、止着部材が設けられていない。なお、止着部材とは、例えば、後胴回り域Ｓ２に設けられた、前胴回り域Ｓ１に止着可能なファスニングテープである。
【００２２】
吸収体３０は、吸収性材料が積層された吸収性コアを有する。本実施の形態の吸収体３０は、目付２２０ｇ/ｍ２のパルプと目付１３０ｇ/ｍ２ＳＡＰが混合された吸収性コアと、当該吸収性コアを包むコアラップと、から構成されている。コアラップは、例えば、目付１５ｇ/ｍ２のテッシュを用いることができる。なお、吸収体３０は、吸収性コアを包むコアラップを有していなくてもよい。図面においては、コアラップ及び吸収性コアを含む吸収体として図示する。
【００２３】
吸収体３０の吸収性コアには、低目付部としてのスリットが形成されている。スリットは、吸収性コアの幅方向中央に形成された第１スリット３１と、吸収性コアの幅方向外側端部に形成された一対の第２スリット３２と、を有する。第１スリット３１は、前後方向に沿っている。第２スリット３２は、吸収性コアの幅方向外側端部から幅方向中央に向かって前後方向の長さが短くなる形状である。吸収性コアに第２スリット３２が形成されているため、第２スリット３２が形成された部分を起点に吸収性コアが折れ曲がりやすくなる。当該第２スリットは、折曲誘導部を構成する。
【００２４】
後述する使用時の装着性を向上させる観点において、第１スリット３１は、吸収性コアの後側端部から５０ｍｍ以上離間していることが望ましい。本実施の形態の第１スリット３１の後側端部と、吸収性コアの後側端部との距離は、７０ｍｍである。第１スリット３１の前後方向の長さは、５０ｍｍ以上１５０ｍｍ以下とすることができ、第１スリット３１の幅方向の長さは、５ｍｍ以上１０ｍｍ以下とすることができる。
【００２５】
なお、本実施の形態の低目付部としての第１スリットは、吸収性物品の幅方向中央において１本形成されているが、この構成に限られない。例えば、低目付部は、２本以上形成されていてもよく、股下域Ｓ３の前後方向に沿う折り目による吸収性物品の折れを防ぐ観点においては、例えば、吸収性コアの幅方向中心よりも幅方向外側に一対の第１スリットを形成してもよい
表面シートの幅方向Ｗにおける側縁部には、一対のサイドギャザー４０が備えられる。サイドギャザー４０は、サイドシート４１と、サイドシートに固定された伸縮性部材４２と、によって構成される。
【００２６】
サイドギャザー４０は、表面シートの幅方向の外側端部を覆うように配置されている。サイドギャザー４０が表面シート１０に固定された固定部５１と、サイドギャザー４０が表面シート１０に固定されていない非固定部５２と、が設けられている。図１に、固定部５１と非固定部５２に異なる斜線を付して示す。
【００２７】
固定部５１は、サイドギャザー４０の幅方向外側端部と、サイドギャザー４０の前後方向端部と、に配置されている。非固定部５２は、サイドギャザー４０の幅方向内側端部であって、前後端部に位置する固定部５１の間に位置する。
【００２８】
固定部５１は、前胴回り域Ｓ１、股下域Ｓ３及び後胴回り域Ｓ２に跨がって配置されている。非固定部５２は、少なくとも股下域Ｓ３に配置されている。なお、本実施の形態の固定部５１は、前胴回り域Ｓ１、股下域Ｓ３及び後胴回り域Ｓ２に跨がって配置されているが、本発明における固定部は、この構成に限られない。例えば、固定部５１は、前胴回り域Ｓ１と後胴回り域Ｓ２に離間して配置され、当該固定部間に非固定部５２が設けられていてもよい。
【００２９】
サイドシート４１の幅方向内側端部は、前後方向に延びる折り目を起点に折り畳まれており、当該折り畳まれたサイドシート間に伸縮性部材４２が配置されている。伸縮性部材４２は、前後方向に伸長された状態でサイドシート４１に固定されている。伸縮性部材４２は、前後方向に伸縮可能である。伸縮性部材は、伸長された状態でサイドシート４１が表面シート１０に接合されていない部分に少なくとも配置されている。サイドギャザー４０は、伸縮性部材４２が収縮することによって、表面シート１０から着用者側に立ち上がる。
【００３０】
本実施の形態の伸縮性部材は、糸ゴムであり、より詳細には、太さ４２０ｄｔｅｘであり、伸長率１．８倍で左右１本ずつ伸長固定されている。なお、伸縮性部材は、糸ゴムに限定されず、例えば、伸縮性シートによって構成されていてもよい。
【００３１】
このように構成された吸収性物品の伸長状態の寸法は、例えば、以下のように構成される。吸収性物品の前後方向の長さは、１７０以上２３０ｍｍ以下である。本実施の形態の吸収性物品の前後方向の長さは、１９０ｍｍである。
【００３２】
吸収性物品の前後方向の長さが１７０ｍｍ未満であると、乳児（男）の性器部と肛門の両方を十分に覆うことができず、漏れが生じるおそれがある。一方、吸収性物品の前後方向の長さが２３０ｍｍを超えると、後述する評価試験に記載のように、性器・肛門部を適切に覆うことができなかったり、おへそ・お腹に吸収性物品がかかったりすることがある。
【００３３】
吸収性物品の幅方向の長さは、前後方向に変化している。前胴回り域の吸収性物品の幅方向の最大長さは、１００ｍｍであり、後胴回り域の吸収性物品の幅方向の最大長さは、１５０ｍｍである。股下域の幅方向の長さは、３０ｍｍ以上５０ｍｍ以下である。
【００３４】
股下域Ｓ３の幅方向の長さが３０ｍｍ未満であると、股下域Ｓ３の幅方向の長さが短すぎ、製品装着時に吸収性物品が幅方向にずれた際に、股下域Ｓ３において排泄物を十分吸収することができないことがある。よって、吸収性物品と着用者の隙間から、排泄物が漏れるおそれがある。一方、股下域Ｓ３の幅方向の長さが５０ｍｍを超えると、後述する評価試験に記載のように、装着時にたわみや折り返しが生じることがある。
【００３５】
吸収性コアの前後方向の長さは、１４０ｍｍ以上２２０ｍｍ以下である。吸収性コアは、吸収性物品の製品端部よりも５ｍｍ以上内側に位置することが望ましい。吸収性物品の製品端部よりも５ｍｍ以上内側に吸収性コアが配置されていることにより、吸収性コアを構成するパルプ繊維や吸収性ポリマーが製品端部からこぼれることを防止できる。
【００３６】
吸収性コアの幅方向の長さは、前後方向に変化しており、前胴回り域Ｓ１の吸収性コアの幅方向の最大長さは、６０ｍｍであり、後胴回り域Ｓ２の吸収性コアの幅方向の最大長さは、９０ｍｍであり、股下域Ｓ３の吸収性コアの幅方向の最大長さは、４５ｍｍである。
【００３７】
吸収性コアの後側端部は、前吸収性物品の後側端部よりも前側に位置している。後述する使用時の装着性を向上させる観点において、吸収性コアの後側端部と吸収性物品の後側端部の距離は、１５ｍｍ以下であればよく、本実施の形態の距離は、１０ｍｍである。また、吸収性コアの前側端部は、吸収性物品の前側端部よりも後側に位置している。吸収性コアの前側端部と吸収性物品の前側端部の距離は、１０ｍｍである。
【００３８】
吸収性物品の外縁のうち、後胴回り域Ｓ２の後側端部及び当該後側端部から幅方向に延びる部分は、吸収性物品の平面視において曲線状である。後胴回り域Ｓ２の後側端部及び当該後側端部から幅方向に延びる部分には、平面視において尖った角部が形成されていない。
【００３９】
サイドギャザー４０の高さは、１０ｍｍである。サイドギャザー４０の高さとは、サイドギャザー４０の立ち上がりの支点からサイドギャザー４０の頂点までの長さである。吸収性物品の前側端部の固定部と吸収性物品の後側端部の固定部との前後方向長さ、換言すると非固定部の前後方向の長さは、９０ｍｍである。股下域における左右に位置する固定部間の距離は、６０ｍｍである。左右に位置するサイドギャザー４０間の距離は、４０ｍｍである。
【００４０】
吸収性物品の曲げ剛性は、０．０５Ｎ以上０．２Ｎ以下である。なお、吸収性物品の曲げ剛性は、テーバー式剛軟度試験機を用いて測定することができる。具体的には、吸収性物品から試料を作成する。試料は、吸収性物品の前後方向に沿った長さが約７０ｍｍ×吸収性物品の幅方向に沿った長さが約３８．１ｍｍの略矩形状とする。試料は、吸収性物品の吸収性コアが配置された領域のうち、第１スリット３１や第２スリット３２（折曲げ誘導部）が形成されていない領域から作成する。試料が前後方向に曲がるように試験機にセットして、当該試験器を用いて曲げ剛性値を測定する。
【００４１】
このように構成された吸収性物品は、自然状態において前胴回り域Ｓ１と後胴回り域Ｓ２とが近づくように構成されている。ここで、本発明における自然状態とは、前胴回り域Ｓ１、股下域Ｓ３及び後胴回り域Ｓ２を平面状に展開した後に、吸収性物品を展開する際に掛けた力を解除した状態である。また、前胴回り域Ｓ１、股下域Ｓ３及び後胴回り域Ｓ２を平面状に展開した状態とは、吸収性物品を水平な台の上に載せて、前胴回り域Ｓ１、股下域Ｓ３及び後胴回り域Ｓ２それぞれを台に密着させた状態である。前胴回り域Ｓ１、股下域Ｓ３及び後胴回り域Ｓ２を平面状に展開した後に、吸収性物品を展開する際に掛けた力を解除すると、サイドギャザーを構成する伸縮性部材が収縮することによって、前胴回り域Ｓ１と後胴回り域Ｓ２とは、互いに近づく方向に付勢される。このとき、吸収性コアは、第２スリットが形成された部分の剛性が低いため、吸収性物品は、第２スリットを起点に前後方向に折れ曲がる。図３は、自然状態の吸収性物品の側面図である。吸収性物品は、幅方向に沿った折り目ＦＬ１を起点に前後方向に折り畳まれる。当該折り目ＦＬ１は、自然状態で吸収性物品が幅方向に沿って折り畳まれた際に形成される折り目である。
【００４２】
また、前胴回り域Ｓ１、股下域Ｓ３及び後胴回り域Ｓ２を平面状に展開する前の状態は、当該折り目ＦＬ１を基点に折り畳まれていてもよいし、平面状に展開した状態でパッケージ等に封入されていてもよく、限定されない。
【００４３】
本実施の形態において折り目ＦＬ１は、股下域Ｓ３に形成されている。なお、本実施の形態において吸収性物品が２つに折り畳まれている形態にあっては、折り目ＦＬ１は、股下域Ｓ３に形成されることが望ましい。後述する変形例２のように、吸収性物品が３つに折り畳まれている形態にあっては、折り目の位置は、この限りでない。
【００４４】
このように吸収性物品は、自然状態において折り畳まれ、伸縮性部材４２及び第２スリットは、折曲誘導部として機能する。なお、折曲誘導部は、当該構成に限れない。例えば、折曲誘導部は、伸縮性部材のみによって構成されていてもよいし、吸収性物品に形成された折り目によって構成されていてもよいし、吸収性物品を厚み方向に圧搾するエンボス加工による窪みによって構成されていてもよいし、吸収体を構成する吸収性材料の目付が周囲の目付よりも低い低目付部によって構成されていてもよい。
【００４５】
吸収性物品は、幅方向に沿った折り目ＦＬ１に隣接し、かつ折り目よりも前側に延びる第１領域Ｒ１と、幅方向に沿った折り目ＦＬ１に隣接し、かつ折り目ＦＬ１よりも後側に延びる第２領域と、を有する。図３に第１領域Ｒ１と第２領域Ｒ２に異なる斜線を付して示す。自然状態において、第１領域Ｒ１と第２領域Ｒ２がなす角度は、０度以上１２０度以下である。より好ましくは、第１領域Ｒ１と第２領域Ｒ２がなす角度は、９０度未満であることが望ましい。
【００４６】
なお、第１領域Ｒ１と第２領域Ｒ２は、折り目ＦＬ１から前側又は後側に延びる一定範囲の領域であればよい。また、複数の折り目が形成される吸収性物品にあっては、最も後側よりの折り目に対して隣接する範囲を第１領域Ｒ１及び第２領域Ｒ２とする。
【００４７】
また、第１領域Ｒ１と第２領域Ｒ２がなす角度は、以下のように測定できる。まず、吸収性物品がパッケージ等に封入されている場合には、パッケージから吸収性物品を取り出す。次いで、吸収性物品を水平な測定台の上に載せる。次いで、吸収性物品の折り目よりも後側の領域のうち、当該領域の前後方向中心よりも後方側（後側端部側）をテープ等で測定台に固定する。吸収性物品の前側端部を手で持ち、吸収性物品の折り目よりも前側の領域を水平にした状態する。当該水平に下状態を1分間維持した後に、手を離す。手を離して３秒経過した後に、吸収性物品の側方から吸収性物品の写真を撮り、当該写真に基づいて第１領域Ｒ１と第２領域Ｒ２の角度を測定する。手を離して３秒経過した後の吸収性物品の状態が自然状態となる。
【００４８】
（２）吸収性物品の装着状態
次いで、このように構成された吸収性物品の装着状態を説明する。図４は、吸収性物品の装着状態を示す断面図である。図４において着用者の身体のラインＩＬを模式的に示す。本実施の形態に係る吸収性物品は、保育器内等の寝具上に寝ている状態の着用者に装着される。吸収性物品を装着する際は、着用者の股下側から吸収性物品の後側端部を着用者の背中と寝具の間に差し込む。そして、着用者の股下の近傍に吸収性物品の折り目が位置する状態で、吸収性物品を差し込むことを止め、吸収性物品を把持している手を離す。
【００４９】
吸収性物品は、自然状態で前胴回り域Ｓ１と後胴回り域Ｓ２とが近づく方向に付勢するように構成されている。よって、吸収性物品を把持している手を離すことにより、吸収性物品の前胴回り域Ｓ１が着用者の腹側を覆うように配置され、図４に示す状態となる。図４に示す状態では、後胴回り域Ｓ２が着用者の背側と寝具の間（着用者の身体の下）に配置され、股下域Ｓ３が着用者の股下に対向して配置され、前胴回り域Ｓ１が着用者の腹を覆って配置される。
【００５０】
なお、本実施の形態では、着用者が寝具に寝ている状態で、着用者の身体と寝具の間に挿入することによって、吸収性物品を装着しているが、この形態に限られず、着用者の股下及び背側を一旦持ち上げて、吸収性物品の後胴回り域Ｓ２を寝具上に配置した後に、当該吸収性物品の後胴回り域Ｓ２上に着用者の身体を配置することによって、吸収性物品を装着してもよい。
【００５１】
（３）作用・効果
股下域Ｓ３に形成された折り目ＦＬ１を基点に、当該折り目ＦＬ１よりも前側の領域が、当該折り目ＦＬ１よりも後側の領域に対して立ち上がる。よって、吸収性物品を着用者に装着した状態において、着用者の背側と寝具の間に後胴回り域Ｓ２が配置され、着用者の腹を覆うに前胴回り域Ｓ１が配置される。着用者の背側に配置された吸収性コアによって、着用者から排出されて下方に流れる体液を吸収できる。
【００５２】
また、吸収性物品の前胴回り域Ｓ１は、着用者の身体を覆うように配置され、後胴回り域Ｓ２や衣服等に固定されない。よって、容易に着用者の腹を覆う状態と腹を開放する状態とを実現できる。治療を妨げることなく、排泄物の吸収を実現できる。
【００５３】
装着してもよい。
【００５４】
着用者が寝具に寝ている状態又は着用者の身体を少し持ち上げた状態で着用者の身体と寝具の間に挿入することによって吸収性物品を装着したり、外したりできるため、着用者の安静状態を維持しつつ、吸収性物品を着脱できる。吸収性物品の着脱時の着用者及び装着者（看護士等）の負担の軽減できるため、着用者の着脱時のストレスを低減し、かつ従来のテープ型の吸収性物品よりも装着作業の負担を軽減できる。
【００５５】
自然状態で前胴回り域Ｓ１と後胴回り域Ｓ２とが対向して配置され、第１領域Ｒ１と第２領域Ｒ２がなす角度が、０度以上１２０度以下となるように構成されるため、後胴回り域Ｓ２を着用者の背側に配置した状態で、自然に着用者の腹を覆うように前胴回り域Ｓ１が立ち上がる。また、自然状態で第１領域Ｒ１と第２領域Ｒ２がなす角度が９０度未満であることにより、後胴回り域Ｓ２を着用者の背側に配置した状態で、重力によって前胴回り域Ｓ１が自然に着用者の腹を覆うように変形する。
【００５６】
本実施の形態の吸収性物品の前後方向の長さは、１７０ｍｍ以上２３０ｍｍ以下である。吸収性物品の前後方向の長さが１７０ｍｍ以上であることにより、乳児（男）の性器部と肛門の両方を覆うことができ、尿と便の両方を捉えることができる。また、着用者の身体を覆う面積が少ないため、光線治療の妨げを抑制できる。一方、吸収性物品の前後方向の長さが２３０ｍｍより大きいと、着用者のおへそに吸収性物品がかかり、着用者の腹部に吸収性物品が擦れたり、光線治療の妨げとなったりするおそれがある。しかし、吸収性物品の前後方向の長さが２３０ｍｍ以下であるため、着用者の腹部に吸収性物品が擦れることを抑制でき、かつ光線治療の妨げを抑制できる。
【００５７】
また、吸収性物品の股下域Ｓ３の幅方向の長さは、５０ｍｍ以下である。低出生体重児の股下の幅は、一般的に５０ｍｍ以下である。例えば、股下域Ｓ３の幅方向の長さが５０ｍｍを超えると、着用者の脚によって吸収性物品が挟まれた際に、吸収性物品が前後方向に延びる折り目に沿って折れてしまうことがある。吸収性物品が前後方向に延びる折り目に沿って折れると、当該折り目が着用者に当たり、着用者への刺激が生じるおそれがある。股下域Ｓ３の幅方向の長さは、５０ｍｍ以下であることにより、着用者の脚によって挟まれた際に吸収性物品が折れることを抑制できる。
【００５８】
吸収性物品の剛性は、０．０５Ｎ以上０．２Ｎ以下である。曲げ剛性が０．２Ｎ以下であることで、身体のカーブになじみ、フィット性が上がる。曲げ剛性が０．０５以上であることで装着時に差し込み易くなり、また装着時、吸収後の型崩れも防ぐことができる。
【００５９】
以上のことにより、本実施の形態の吸収性物品を低出生体重児に好適に使用できる。
【００６０】
裏面シートには、吸収性物品を衣服に接合するため接合部材が設けられていない。例えば、裏面シートに接合部材が設けられていると、着用者と寝具の間に吸収性物品を挿入する際に接合部材が引っかかり、吸収性物品を円滑に装着できないおそれがある。しかし、接合部材が設けられていないため、着用者と寝具の間に吸収性物品を円滑に挿入でき、容易に吸収性物品を着脱できる。
【００６１】
前胴回り域Ｓ１及び後胴回り域Ｓ２には、前胴回り域Ｓ１と後胴回り域Ｓ２とを止着するための止着部材が設けられていない。低出生体重児は、一般的な新生児に比べて肌が繊細である。止着部材は、一般的に吸収性物品を構成する他の部材よりも剛性が高く、この止着部材が着用者の肌に触れると、低出生体重児の繊細な肌に刺激を与えるおそれがある。しかし、止着部材を有していないため、止着部材による肌へ刺激を抑制できる。また、止着部材を備えず、着用者の脇を覆うように（着用者の腰回り全周を囲むように）吸収性物品が配置されないため、通気性を確保することができる。
【００６２】
吸収性コアには、周囲よりも吸収性材料の目付が低い低目付部としての第１スリット３１が形成されている。第１スリット３１は、前後方向に沿って形成されている。吸収性物品が着用者の脚によって挟まれると、吸収性コアには幅方向内側に向かう力が掛かり、吸収性コアは、幅方向に圧縮される。吸収性コアに第１スリット３１が形成されているため、吸収性コアに幅方向内側に向かう力が掛かった際に、第１スリット３１によって吸収性コアの変形を吸収できる。よって、着用者の脚によって吸収性物品が挟まれた際に吸収性物品が前後方向に延びる折り目に沿って折れてしまうことを抑制でき、前後方向に延びる折り目による着用者への刺激を抑制できる。
【００６３】
股下域Ｓ３の吸収性コアの幅方向の最大長さは、前胴回り域Ｓ１の吸収性コアの幅方向の最大長さよりも短く、かつ後胴回り域Ｓ２の吸収性コアの幅方向の最大長さよりも短い。股下域Ｓ３の吸収性コアの幅方向の長さを相対的に短くすることにより、違和感なく吸収性コアを着用者の脚の間に配置できる。また、前胴回り域Ｓ１及び後胴回り域Ｓ２の幅方向の長さが短すぎると、着用者の背に当てられる部分及び着用者の腹を覆う部分の面積が少なくなり、適切に背や腹を覆うことができないことがある。前胴回り域Ｓ１の吸収性コアの幅方向の最大長さ及び後胴回り域Ｓ２の吸収性コアの幅方向の最大長さを、股下域Ｓ３の吸収性コアの幅方向の最大長さよりも長くすることにより、着用者の股下における違和感を抑制しつつ、適切に着用者の背及び腹を覆うことができる。
【００６４】
後胴回り域Ｓ２の吸収性物品の曲げ剛性は、股下域Ｓ３の吸収性物品の曲げ剛性よりも高い。吸収性物品の後胴回り域Ｓ２は、着用者と寝具との間に挿入する部分であり、当該部分の曲げ剛性が相対的に低いと、装着時に円滑に吸収性物品を配置し難い。一方、吸収性物品の股下域Ｓ３は、着用者の股下に配置される部分であり、当該部分の曲げ剛性が相対的に高いと、装着された状態で着用者の曲線状を身体に沿って配置されにくい。後胴回り域Ｓ２の吸収性物品の曲げ剛性は、股下域Ｓ３の吸収性物品の曲げ剛性よりも高いため、装着時に円滑に吸収性物品を配置して、着用者の股下に沿って適切に配置し易くなる。
【００６５】
）
吸収性コアの後側端部は、吸収性物品の後側端部よりも前側に位置し、吸収性コアの後側端部と吸収性物品の後側端部の距離は、１５ｍｍ以下である。吸収性コアは、吸収性材料が積層されており、吸収性物品を構成する他の部材（例えば、表面シート）と比べて厚い。例えば、吸収性コアの後側端部が、吸収性物品の後側端部に一致していると、吸収性物品の後側端部が吸収性コアの厚みによって厚くなる。よって、装着時に着用者の身体と寝具の間に吸収性物品を挿入し難いことがある。
【００６６】
しかし、吸収性コアの後側端部は、吸収性物品の後側端部よりも前側に位置している。吸収性物品の後側端部は、表面シート１０及び裏面シート２０の厚みであり、吸収性コアが配置された部分は、表面シート１０、吸収性コア及び裏面シート２０の厚みとなる。吸収性物品の後側端部から前側に向かって徐々に厚みが厚くなっているため、装着時に着用者の身体と寝具の間に吸収性物品を挿入し易くなる。
【００６７】
また、吸収性コアの後側端部と吸収性物品の後側端部の距離が１５ｍｍより大きいと、吸収性物品の後側端部の剛性が低く、装着時に着用者の身体と寝具の間に吸収性物品を挿入し難くなる。よって、また、吸収性コアの後側端部と吸収性物品の後側端部の距離は、１５ｍｍ以下であることが好ましい。
【００６８】
本実施の形態の吸収性物品は、体重１０００ｇ未満の低出生体重児用の使い捨ておむつである。本実施の形態の使い捨ておむつは、おむつ交換等にて体を必要以上に動かすべきではない安静を保つべき1000g未満の赤ちゃんに対して、必要以上に体にフィットすることなく、自然と体に沿うように折れ曲がるため、体重１０００ｇ未満の低出生体重児に好適に用いることができる。
【００６９】
吸収性物品の外縁のうち、後胴回り域Ｓ２の後側端部及び当該後側端部から幅方向に延びる部分は、吸収性物品の平面視において曲線状である。後胴回り域Ｓ２の後側端部及び当該後側端部から幅方向に延びる部分が丸みのある曲線形状であるため、吸収性物品を着用者の背中と寝具の間に差し込む際に、吸収性物品の製品の角が着用者の体に当たることを抑制できる。なお、後胴回り域Ｓ２の後側端部のみならず、前胴回り域Ｓ１の前側端部の平面視の形状が曲線状であってもよい。
【００７０】
（４）その他の実施形態
上述したように、本発明の実施形態を通じて本発明の内容を開示したが、この開示の一部をなす論述及び図面は、本発明を限定するものであると理解すべきではない。この開示から当業者には様々な代替実施形態、実施例及び運用技術が明らかとなる。
【００７１】
次いで、変形例１に係る吸収性物品について、説明する。なお、以下の変形例の説明においては、上述した実施形態に係る吸収性物品１と同一部分には同一の符号を付して、相違する部分を主として説明する。
【００７２】
図５は、変形例１に係る吸収性物品１Ａの平面図である。変形例１に係る吸収性物品１Ａの幅方向の長さ及び吸収性コアの幅方向の長さは、前後方向において一定である。変形例に係る吸収性物品１Ａの吸収性コアは、前後方向の中心に幅方向に沿う第３スリット３３が形成されている。第３スリット３３は、前後吸収性コアよりも目付けが低い部分であり、好ましくは、前後吸収性コアのパルプ目付けの１０％以下、より好ましくは目付１０g/m2以下又はパルプ繊維が存在しない部分である。吸収性コアは、第３スリット３３よりも前側に位置する前吸収性コア３４と、第３スリットよりも後側に位置する後吸収性コア３５と、を有する。前吸収性コア３４と後吸収性コア３５との間には、幅方向に延びる折り目ＦＬ１が形成されている。
【００７３】
変形例１に係る吸収性物品１Ａは、流通時に前後方向に２つに折り畳まれている。折り目ＦＬ１は、２つ折りによって形成された折り目である。例えば、折り目ＦＬ１が吸収性コアに重なっていると、２つ折りの際の折り癖が残り難く、使用時に吸収性物品１Ａを取り出した際に折り目が残り難い。しかし、折り目ＦＬ１が形成された部分は、表面シート等のシート材のみからなり、吸収性材料を有しないため、当該折り目ＦＬ１が残り易い。第３スリットは、折曲誘導部を構成する。
【００７４】
また、変形例１に係る吸収性物品１Ａは、吸収体３０よりも幅方向外側に配置された伸縮性部材４２を有する。伸縮性部材４２は、伸長された状態で表面シート１０と裏面シートの間に接合されている。伸縮性部材４２が収縮することによって、前胴回り域Ｓ１と後胴回り域Ｓ２が近づくように、前胴回り域Ｓ１及び/又は後胴回り域Ｓ２が着用者側に立ち上がる。伸縮性部材は、折曲誘導部を構成する。
【００７５】
よって、自然状態で前胴回り域Ｓ１と後胴回り域Ｓ２とが対向して配置され、第１領域Ｒ１と第２領域Ｒ２がなす角度が、０度以上１２０度以下となるように構成される。
【００７６】
なお、変形例１の折曲誘導部は、伸縮性部材４２と第３スリット３３によって構成されているが、当該構成に限定されない。例えば、折曲誘導部は、伸縮性部材４２のみによって構成され、吸収体に第３スリットが形成されていなくてもよい。
【００７７】
次いで、変形例２に係る吸収性物品１Ｂについて、図６から図８を用いて説明する。図６は、変形例２に係る吸収性物品の展開平面図である。図７は、図６に示したＢ-Ｂ線に沿った吸収性物品の断面図である。図８は、図６に示した吸収性物品の自然状態の斜視図である。
【００７８】
変形例２に係る吸収性物品１Ｂのサイドギャザー４０は、吸収体の幅方向外側端部を覆っている。サイドシート４１は、前後方向に沿った折り目を基点に複数回折り畳まれている。サイドシートは、前後方向に沿った中心折り目ＣＦＬを基点に折り畳まれ、２層重なっている。この中心折り目ＣＦＬにおける２層のサイドシート４１間に伸縮性部材４２が配置されている。
【００７９】
サイドギャザー４０は、表面シート上に固定された固定部５１と、表面シートに固定されず、表面シートから立ち上がる非固定部５２と、を有する。固定部５１は、吸収体の幅方向外側端部上に配置されている。非固定部５２は、固定部５１よりも着用者側に起立する。
【００８０】
吸収性物品１Ｂは、自然状態において幅方向に沿った第１折り目ＦＬ１と第２折り目ＦＬ２を基点に折り畳まれている。第１折り目ＦＬ１は、前胴回り域Ｓ１と股下域Ｓ３の間に位置し、第２折り目ＦＬ２は、後胴回り域Ｓ２と股下域Ｓ３の間に位置する。
【００８１】
図８は、前胴回り域Ｓ１、股下域Ｓ３及び後胴回り域Ｓ２を平面状に展開した後に吸収性物品を展開する際に掛けた力を解除した自然状態における吸収性物品の斜視図を示している。自然状態において、吸収性物品は、伸縮性部材４２が収縮し、第１折り目ＦＬ１及び第２折り目ＦＬ２を基点に前胴回り域Ｓ１と後胴回り域Ｓ２が近づくように変形する。伸縮性部材は、折曲誘導部を構成する。
【００８２】
変形例２の吸収性物品では、最も後側に位置する第２折り目ＦＬ２に対して隣接する範囲が第１領域Ｒ１及び第２領域Ｒ２である。自然状態において第１領域Ｒ１と第２領域Ｒ２がなす角度θは、０度以上１２０度以下となるように構成されている。
【００８３】
変形例２の吸収性物品を装着する際は、着用者の股下側から吸収性物品の後側端部を着用者の背中と寝具の間に差し込む。そして、着用者の股下の近傍に吸収性物品の第２折り目ＦＬ２が位置する状態で、吸収性物品を差し込むことを止め、吸収性物品１を把持している手を離す。
【００８４】
吸収性物品１は、自然状態で前胴回り域Ｓ１と後胴回り域Ｓ２とが近づく方向に付勢するように構成されている。よって、吸収性物品を把持している手を離すことにより、第２折り目ＦＬ２を基点に股下域Ｓ３及び前胴回り域Ｓ１が立ち上がる。そして、第２折り目よりも前側には第１折り目ＦＬ１が形成されているため、前胴回り域Ｓ１が股下域Ｓ３に対して着用者側に折れる。よって、吸収性物品の股下域Ｓ３が着用者の股下に対向して配置され、かつ前胴回り域Ｓ１が着用者の腹側を覆うように配置される。
【００８５】
また、他の変形例において、前胴回り域Ｓ１が着用者の身体の下に配置された状態で使用されてもよい。例えば、着用者がうつぶせの状態では、前胴回り域Ｓ１が着用者の身体の下に配置される。
【００８６】
また、他の変形例において、裏面シートには、吸収性物品を衣服に接合するため接合部材が設けられていてもよい。
【００８７】
他の変形例において、前胴回り域Ｓ１と後胴回り域Ｓ２とを止着するための止着部材が設けられていてもよい。
【００８８】
他の変形例において、吸収性コアには、周囲よりも吸収性材料の目付が低い低目付部が設けられていなくてもよい。更に、低目付部は、前後方向に沿わずに配置されていてもよい。
【００８９】
他の変形例において、股下域Ｓ３の吸収性コアの幅方向の最大長さは、前胴回り域Ｓ１の吸収性コアの幅方向の最大長さよりも長くてもよい。また、股下域Ｓ３の吸収性コアの幅方向の最大長さは、後胴回り域Ｓ２の吸収性コアの幅方向の最大長さよりも長くてもよい。
【００９０】
他の変形例において、吸収性コアの後側端部と、吸収性物品の後側端部とが一致してもよい。また、吸収性コアの後側端部と吸収性物品の後側端部の距離が、１５ｍｍより大きくてもよい。
【００９１】
このように、本発明は、ここでは記載していない様々な実施形態などを含むことは勿論である。したがって、本発明の技術的範囲は、上述の説明から妥当な特許請求の範囲に係る発明特定事項によってのみ定められるものである。
【００９２】
（５）比較評価
表１は、吸収性物品の比較評価結果を示す。表１に示すように、実施例１〜実施例４、及び比較例１〜３に係る吸収性物品について試験を実施した。表１に示す吸収性物品の前後方向の長さ、吸収性物品の曲げ剛性、及び吸収性物品の股下域の剛性のサンプルを準備した。
【表１】
2015066338.tif 000003
【００９３】
評価試験では、以下の項目に対して、良し悪しの評価を得た。
【００９４】
（Ａ）  装着時にたわみや折り返しがないか。装着時に、背側部・股部におむつを当てて体に沿わせていく時に観察する。(装着時に吸収性物品にたわみや折り返しが生じ、着用者に悪い影響が出ないか等、悪い印象を持たないか)
（Ｂ）  性器・肛門部が覆われているか(装着後、体を覆う付け方ができているかどうか)
（Ｃ）  おへそ・お腹にかかっていないか(光線治療の障害になる等の不安を感じなかったか)
５人のモニターに対して当該質問を行い、５名中４名以上が良いと答えた場合には、○と評価した。５名中３名以下が良いと答えた場合には、×と評価した。（Ａ）、（Ｂ）、（Ｃ）全ての項目において○と評価した場合、総合評価を○と評価した。モニターに対して、(A)に関して、実施例の中での比較をしてもらったところ、実施例1,4が2,3よりも良いとする回答を得た。
【００９５】
このような評価試験の結果によれば、吸収性物品の前後方向の長さは、１７０ｍｍ以上２３０ｍｍ以下の範囲であることが好ましく、股下域の幅方向の長さは、３０ｍｍ以上５０ｍｍ以下であることが好ましく、30mm以上45mm以下の範囲であることがより好ましい。曲げ剛性は、０．０５Ｎ以上０．２Ｎ以下であることが好ましい。
【符号の説明】
【００９６】
1、１Ａ、１Ｂ        ：吸収性物品
１０      ：表面シート
２０      ：裏面シート
３０      ：吸収体
３１      ：第１スリット
３２      ：第２スリット
４０      ：サイドギャザー
４１      ：サイドシート
４２      ：伸縮性部材
５１      ：固定部
５２      ：非固定部
ＦＬ１    ：折り目
ＩＬ      ：ライン
Ｒ１      ：第１領域
Ｒ２      ：第２領域
Ｓ１      ：前胴回り域
Ｓ２      ：後胴回り域
Ｓ３      ：股下域
Ｌ        ：前後方向
Ｗ        ：幅方向
【図１】
2015066338.tif 000004
【図２】
2015066338.tif 000005
【図３】
2015066338.tif 000006
【図４】
2015066338.tif 000007
【図５】
2015066338.tif 000008
【図６】
2015066338.tif 000009
【図７】
2015066338.tif 000010
【図８】
2015066338.tif 000011